(57)【特許請求の範囲】
【請求項１】
ネットワークを介して接続された複数の基地局装置を含み、第１の移動局装置が第１の基地局装置から第２の基地局装置にハンドオーバを行う移動通信システムであって、
前記第１の基地局装置は、
前記第１の移動局装置から受信した無線信号に応じたデータを、前記第１の移動局装置と呼接続する第２の移動局装置と無線通信を行う相手基地局装置に送信する第１データ送信手段と、
前記第１の移動局装置のハンドオーバ開始に伴い、前記第１データ送信手段により送信されるデータの送信先を、前記相手基地局装置から前記第２の基地局装置に切り替えるデータ送信先切替手段と、を含み、
前記第２の基地局装置は、
前記第１データ送信手段により送信されるデータを受信するデータ受信手段と、
前記データ受信手段により受信されたデータを前記相手基地局装置に転送する第２データ送信手段と、
前記データ受信手段により受信されたデータに含まれる情報と、前記第１の移動局装置から受信した無線信号に含まれる情報と、の同一性を判定する同一性判定手段と、
前記同一性判定手段により情報の同一性が確認されたタイミングで、前記第２データ送信手段により送信されるデータを、前記データ受信手段により受信されるデータから、前記第１の移動局装置から受信する無線信号に応じたデータに切り替える送信データ切替手段と、
を含むことを特徴とする移動通信システム。
【請求項２】
請求項１に記載の移動通信システムにおいて、
前記基地局装置間で送受信されるデータは、コネクションレス型の伝送プロトコルに基づくパケットであり、
前記送信データ切替手段は、前記送信データの切り替え前後で前記第２データ送信手段が送信するパケットの連続性が維持されるよう、前記切り替え前に送信されたパケットのヘッダ情報の少なくとも一部を、前記切り替え後に送信されるパケットに引き継ぐ、
ことを特徴とする移動通信システム。
【請求項３】
請求項２に記載の移動通信システムにおいて、
前記コネクションレス型の伝送プロトコルは、ＲＴＰプロトコルであり、
前記送信データ切替手段は、前記送信データの切り替え前後で前記第２データ送信手段が送信するパケットの連続性が維持されるよう、前記切り替え前に送信されたＲＴＰパケットのヘッダに含まれるシーケンス番号とタイムスタンプと同期送信元識別子とを、前記切り替え後に送信されるＲＴＰパケットに引き継ぐ、
ことを特徴とする移動通信システム。
【請求項４】
他の基地局装置とネットワークを介して接続され、前記他の基地局装置と無線通信を行う第１の移動局装置によるハンドオーバの開始に伴い該第１の移動局装置と無線通信を開始する基地局装置であって、
前記ハンドオーバの開始に伴い、前記第１の移動局装置から送信された無線信号に応じたデータを前記他の基地局装置から受信するデータ受信手段と、
前記データ受信手段により受信されたデータを、前記第１の移動局装置と呼接続する第２の移動局装置と無線通信を行う相手基地局装置に転送するデータ送信手段と、
前記データ受信手段により受信されたデータに含まれる情報と、前記第１の移動局装置から受信した無線信号に含まれる情報と、の同一性を判定する同一性判定手段と、
前記同一性判定手段により情報の同一性が確認されたタイミングで、前記データ送信手段により送信されるデータを、前記データ受信手段により受信されるデータから、前記第１の移動局装置から受信する無線信号に応じたデータに切り替える送信データ切替手段と、
を含むことを特徴とする基地局装置。
【請求項５】
ネットワークを介して接続された複数の基地局装置を含む移動通信システムにおいて、第１の移動局装置が第１の基地局装置から第２の基地局装置にハンドオーバを行うためのハンドオーバ方法であって、
前記第１の移動局装置によるハンドオーバの開始に伴い、前記第１の基地局装置が、前記第１の移動局装置から受信した無線信号に応じたデータの送信先を、前記第１の移動局装置と呼接続する第２の移動局装置と無線通信を行う相手基地局装置から前記第２の基地局装置に切り替えるデータ送信先切替ステップと、
前記データ送信先切替ステップの後、前記第２の基地局装置が、前記第１の基地局装置から送信されるデータを受信するデータ受信ステップと、
前記第２の基地局装置が、前記データ受信ステップで受信したデータを前記相手基地局装置に転送するデータ送信ステップと、
前記第２の基地局装置が、前記データ受信ステップで受信したデータに含まれる情報と、前記第１の移動局装置から受信した無線信号に含まれる情報と、の同一性を判定する同一性判定ステップと、
前記第２の基地局装置が、前記同一性判定手段ステップで情報の同一性を確認したタイミングで、前記データ送信ステップで送信するデータを、前記データ受信ステップで受信するデータから、前記第１の移動局装置から受信する無線信号に応じたデータに切り替えるステップと、
を含むことを特徴とするハンドオーバ方法。
【発明の詳細な説明】
【技術分野】
【０００１】
本発明は、移動通信システム、基地局装置、およびハンドオーバ方法に関し、特に、ネットワークを介して接続された複数の基地局装置を含む移動通信システムにおけるハンドオーバ技術に関する。
【背景技術】
【０００２】
近年、携帯電話やＰＨＳ（Personal Handy-phone System）などの移動通信システムでは、通話品質の向上や回線コストの削減などを目的として、基地局間の基幹回線（バックボーン）を回線交換網からＩＰ（Internet Protocol）網に移行することが検討されている。基地局間がＩＰ網で接続される移動通信システムでは、移動局のハンドオーバに伴って基地局間の通信経路が切り替えられる。
【０００３】
図６は、基地局間のデータ通信にコネクションレス型伝送プロトコルの１つであるＲＴＰ（Real-time Transport Protocol）を適用する従来の移動通信システム７０において、移動局７４−２と呼接続している移動局７４−１が基地局７２−１から基地局７２−２にハンドオーバする手順を説明する図である。同図に示すように、移動局７４−１がハンドオーバを開始する前は、ハンドオーバ元の基地局７２−１と移動局７４−２が無線接続する基地局７２−３との間にＲＴＰセッション１（切替元セッション）が確立されており、このＲＴＰセッション１を用いて通信データが送受信されている（同図（ａ）参照）。
【０００４】
ここで移動局７４−１が基地局７２−２へのハンドオーバを開始すると、基地局７２−３は、ハンドオーバ元の基地局７２−１との間に確立されたＲＴＰセッション１を解放し、新たにハンドオーバ先の基地局７２−２との間でＲＴＰセッション２（切替先セッション）を確立する（同図（ｂ）参照）。
【０００５】
なお、特許文献１には、ＩＰ網における網障害や通信品質の低下を安価かつ簡略に回避するための技術が開示されている。また、特許文献２には、音声またはデータ通信を維持しながらＷＷＡＮ（Wireless Wide Area Network：無線広帯域ネットワーク）とＷＬＡＮ（Wireless Local Area Network：無線ローカルエリアネットワーク）との間で自動シームレス垂直ローミングを行うための技術が開示されている。
【特許文献１】特開２００１−５３７９４号公報
【特許文献２】特表２００４−５１７５７４号公報
【発明の開示】
【発明が解決しようとする課題】
【０００６】
しかしながら、上記従来の移動通信システムでは、ハンドオーバに伴う基地局間の通信経路の切り替えが非同期で行われるため、ハンドオーバ中の移動局から送信されたデータの一部が基地局で破棄されてしまう場合があった。
【０００７】
たとえば、図６に示す移動通信システム７０において、ＲＴＰセッション１の解放タイミングに対してＲＴＰセッション２の確立タイミングが早い場合、基地局７２−３はすでに基地局７２−１からのデータ送信が終了したＲＴＰセッション１を監視し続け、基地局７２−２から送信されるＲＴＰセッション２のデータを破棄してしまうことがあった。逆に、ＲＴＰセッション１の解放タイミングに対してＲＴＰセッション２の確立タイミングが遅い場合、基地局７２−３はＲＴＰセッション１のジッタバッファ内に蓄積されたデータを移動局７４−２に送信することなく破棄してしまうことがあった。
【０００８】
本発明は、上記従来の課題に鑑みてなされたものであり、ハンドオーバ中の移動局装置から送信されたデータが消失しないよう、ネットワークを介して接続された基地局装置間の通信経路を切り替える移動通信システム、基地局装置、およびハンドオーバ方法を提供することを目的とする。
【課題を解決するための手段】
【０００９】
上記課題を解決するために、本発明に係る移動通信システムは、ネットワークを介して接続された複数の基地局装置を含み、第１の移動局装置が第１の基地局装置から第２の基地局装置にハンドオーバを行う移動通信システムであって、前記第１の基地局装置は、前記第１の移動局装置から受信した無線信号に応じたデータを、前記第１の移動局装置と呼接続する第２の移動局装置と無線通信を行う相手基地局装置に送信する第１データ送信手段と、前記第１の移動局装置のハンドオーバ開始に伴い、前記第１データ送信手段により送信されるデータの送信先を、前記相手基地局装置から前記第２の基地局装置に切り替えるデータ送信先切替手段と、を含み、前記第２の基地局装置は、前記第１データ送信手段により送信されるデータを受信するデータ受信手段と、前記データ受信手段により受信されたデータを前記相手基地局装置に転送する第２データ送信手段と、前記データ受信手段により受信されたデータに含まれる情報と、前記第１の移動局装置から受信した無線信号に含まれる情報と、の同一性を判定する同一性判定手段と、前記同一性判定手段により情報の同一性が確認されたタイミングで、前記第２データ送信手段により送信されるデータを、前記データ受信手段により受信されるデータから、前記第１の移動局装置から受信する無線信号に応じたデータに切り替える送信データ切替手段と、を含むことを特徴とする。
【００１０】
本発明によれば、ハンドオーバ元の基地局装置から相手基地局装置に対して送信されたデータと、ハンドオーバ先の基地局装置から相手基地局装置に対して送信されるデータと、が一致したタイミングで、基地局装置間の通信経路が切り替えられるため、ハンドオーバ中の移動局装置から送信されたデータの消失を防ぐことができる。
【００１１】
また、本発明の一態様では、前記基地局装置間で送受信されるデータは、コネクションレス型の伝送プロトコルに基づくパケットであり、前記送信データ切替手段は、前記送信データの切り替え前後で前記第２データ送信手段が送信するパケットの連続性が維持されるよう、前記切り替え前に送信されたパケットのヘッダ情報の少なくとも一部を、前記切り替え後に送信されるパケットに引き継ぐ。この態様によれば、相手基地局装置にパケット伝送レイヤにおけるセッションの切り替え動作をさせることなく、相手基地局装置に送信するパケットの送信元をハンドオーバ元の基地局装置からハンドオーバ先の基地局装置に切り替えるので、ハンドオーバに伴う相手基地局装置側の処理負荷を低減することができる。
【００１２】
この態様では、前記コネクションレス型の伝送プロトコルは、ＲＴＰプロトコルであってもよく、前記送信データ切替手段は、前記送信データの切り替え前後で前記第２データ送信手段が送信するパケットの連続性が維持されるよう、前記切り替え前に送信されたＲＴＰパケットのヘッダに含まれるシーケンス番号とタイムスタンプと同期送信元識別子とを、前記切り替え後に送信されるＲＴＰパケットに引き継いでもよい。こうすれば、相手基地局装置にＲＴＰセッションの切り替え動作をさせることなく、相手基地局装置とハンドオーバ元の基地局装置との間で確立されたＲＴＰセッションを解放すると同時に、相手基地局装置とハンドオーバ元の基地局装置との間に新たなＲＴＰセッションを確立することができる。
【００１３】
また、本発明に係る基地局装置は、他の基地局装置とネットワークを介して接続され、前記他の基地局装置と無線通信を行う第１の移動局装置のハンドオーバ開始に伴い第１の移動局装置と無線通信を開始する基地局装置であって、前記ハンドオーバの開始に伴い、前記第１の移動局装置から送信された無線信号に応じたデータを前記他の基地局装置から受信するデータ受信手段と、前記データ受信手段により受信されたデータを、前記第１の移動局装置と呼接続する第２の移動局装置と無線通信を行う相手基地局装置に転送するデータ送信手段と、前記データ受信手段により受信されたデータに含まれる情報と、前記第１の移動局装置から受信した無線信号に含まれる情報と、の同一性を判定する同一性判定手段と、前記同一性判定手段により情報の同一性が確認されたタイミングで、前記データ送信手段により送信されるデータを、前記データ受信手段により受信されるデータから、前記第１の移動局装置から受信する無線信号に応じたデータに切り替える送信データ切替手段と、を含むことを特徴とする。
【００１４】
また、本発明に係るハンドオーバ方法は、ネットワークを介して接続された複数の基地局装置を含む移動通信システムにおいて、第１の移動局装置が第１の基地局装置から第２の基地局装置にハンドオーバを行うためのハンドオーバ方法であって、前記第１の移動局装置によるハンドオーバの開始に伴い、前記第１の基地局装置が、前記第１の移動局装置から受信した無線信号に応じたデータの送信先を、前記第１の移動局装置と呼接続する第２の移動局装置と無線通信を行う相手基地局装置から前記第２の基地局装置に切り替えるデータ送信先切替ステップと、前記データ送信先切替ステップの後、前記第２の基地局装置が、前記第１の基地局装置から送信されるデータを受信するデータ受信ステップと、前記第２の基地局装置が、前記データ受信ステップで受信したデータを前記相手基地局装置に転送するデータ送信ステップと、前記第２の基地局装置が、前記データ受信ステップで受信したデータに含まれる情報と、前記第１の移動局装置から受信した無線信号に含まれる情報と、の同一性を判定する同一性判定ステップと、前記第２の基地局装置が、前記同一性判定手段ステップで情報の同一性を確認したタイミングで、前記データ送信ステップで送信するデータを、前記データ受信ステップで受信するデータから、前記第１の移動局装置から受信する無線信号に応じたデータに切り替えるステップと、を含むことを特徴とする。
【発明を実施するための最良の形態】
【００１５】
以下、本発明の一実施形態を図面に基づいて詳細に説明する。
【００１６】
図１は、本発明の一実施形態に係る移動通信システム１０の全体構成図である。同図に示すように、移動通信システム１０は、複数の基地局１２（ここでは基地局１２−１〜１２−３のみを示す。）と複数の移動局１４（ここでは移動局１４−１，１４−２のみを示す。）を含んで構成されている。基地局１２−１〜１２−３は、ＩＰ網１６を介して相互に接続されている。
【００１７】
移動通信システム１０では、移動局１４−１が移動局１４−２と音声通信を行う場合、図１に示すように、移動局１４−１が無線接続する基地局１２−１と移動局１４−２が無線接続する基地局１２−３との間にＲＴＰセッションが確立され、このＲＴＰセッションを介して音声データが送受信される。ここで、移動局１４−１が基地局１２−１から基地局１２−２にハンドオーバすると、新たに基地局１２−２と基地局１２−３との間に確立されるＲＴＰセッションを用いて音声データが送受信されるようになる。特に、本実施形態に係る移動通信システム１０は、ハンドオーバ中の移動局１４−１から送信された音声データが消失しないよう、ハンドオーバ先の基地局１２−２と基地局１２−３との間にＲＴＰセッションを確立する（ＲＴＰセッションを切り替える）、という機能を有している。
【００１８】
以下では、上記機能を実現するために基地局１２が備える構成について詳細に説明する。
【００１９】
図２は、基地局１２の機能ブロック図である。同図に示すように、基地局１２は、アンテナ２０、無線部２２、制御部２４、記憶部２６、回線インターフェース２８を含んで構成される。
【００２０】
アンテナ２０は、無線部２２から供給される無線信号を放射する。また、移動局１４から送信される無線信号を受信し、その無線信号を無線部２２に出力する。なお、送信および受信は、無線部２２の指示に従って時分割で切り替えられる。
【００２１】
無線部２２は、パワーアンプ、ローノイズアンプ、帯域通過フィルタ、ミキサ、Ｄ／Ａコンバータ、Ａ／Ｄコンバータ、変調回路、復調回路などを含んで構成される。そして、アンテナ２０で受信された無線信号をベースバンド信号に変換し、そのベースバンド信号を無線受信データとして制御部２４に出力する。また、制御部２４から入力される無線送信データを無線信号に変換し、変換した無線信号を送信出力レベルにまで増幅してアンテナ２０に供給する。
【００２２】
制御部２４は、たとえばＣＰＵおよびＣＰＵの動作を制御するプログラムで構成され、基地局１２の各部を制御する。また、呼管理部３０、ＵＤＰ／ＩＰ通信制御部３２、ＲＴＰ通信制御部３４、データ処理部３６を機能的に含み、他の基地局１２とのデータ通信に係る処理を行う。これらの機能は、たとえば記憶部２６に記憶されるプログラムをＣＰＵが実行することによって実現される。
【００２３】
記憶部２６は、たとえばＲＡＭやＲＯＭなどのメモリ素子で構成され、制御部２４を機能させるための各種プログラムを記憶する。また、移動局１４−１からの無線受信データを一時的に格納するバッファとしても動作する。
【００２４】
回線インターフェース２８は、基地局１２とＩＰ網１６とを相互に接続し、ＩＰ網１６を介して入力されるデータ（ＵＤＰ／ＩＰパケット）を制御部２４に出力するとともに、制御部２４から入力されるデータ（ＵＤＰ／ＩＰパケット）をＩＰ網１６を介して他の基地局１２に出力する。
【００２５】
次に、制御部２４の機能的構成をより詳細に説明する。
【００２６】
呼管理部３０は、図示しない交換機（またはそれに類する上位装置）からの通知（たとえば、呼接続開始通知やハンドオーバ開始通知）に応じて、呼管理に係る各種処理を行う。たとえば、移動局１４の呼接続に伴ってＲＴＰセッションを確立したり、移動局１４のハンドオーバに伴ってＲＴＰセッションを切り替えたりするために、ＵＤＰ／ＩＰ通信制御部３２、ＲＴＰ通信制御部３４、データ処理部３６を制御する。
【００２７】
なお、交換機（またはそれに類する上位装置）は、たとえば図１に示す移動局１４−１から「基地局１２−１から基地局１２−２へハンドオーバする」との通知を受けると、ハンドオーバ元の基地局１２−１に、ハンドオーバ先の基地局１２−２に係る情報（ＩＰアドレスなど）を含むハンドオーバ開始通知を送信する。また、ハンドオーバ先の基地局１２−２には、ハンドオーバ元の基地局１２−１および基地局１２−３に係る情報（ＩＰアドレスなど）を含むハンドオーバ開始通知を送信する。
【００２８】
ＵＤＰ／ＩＰ通信制御部３２は、呼管理部３０の指示に従って、ＵＤＰ／ＩＰプロトコルに基づくＩＰ網１６上のデータ通信に係る処理を行う。具体的には、他の基地局１２との間でＵＤＰ／ＩＰセッションを確立したり、確立されたＵＤＰ／ＩＰセッションを解放したりする。そして、回線インターフェース２８から入力されるＵＤＰ／ＩＰパケットからＲＴＰパケットを取得し、取得したＲＴＰパケットをＲＴＰ通信制御部３４に出力する。また、ＲＴＰ通信制御部３４から入力されるＲＴＰパケットに所定のＵＤＰヘッダおよびＩＰヘッダを付与し、生成されたＵＤＰ／ＩＰパケットを回線インターフェース２８を介して送信する。
【００２９】
ＲＴＰ通信制御部３４は、呼管理部３０の指示に従って、ＲＴＰプロトコルに基づくＩＰ網１６上のデータ通信に係る処理を行う。具体的には、他の基地局１２との間でＲＴＰＵＤＰ／ＩＰセッションを確立したり、確立されたＵＤＰ／ＩＰセッションを解放したりする。そして、ＵＤＰ／ＩＰ通信制御部３２から入力されるＲＴＰパケットからペイロードデータを取得し、そのペイロードデータを有線受信データとしてデータ処理部３６に出力するとともに、ＲＴＰパケットのヘッダ情報の一部（シーケンス番号、タイムスタンプ、ＳＳＲＣ（Synchrozination Source：同期送信元）識別子）を記憶する（図３の網掛け部分参照）。また、データ処理部３６から入力される有線送信データに所定のＲＴＰヘッダを付与し、生成されたＲＴＰパケットをＵＤＰ／ＩＰ通信制御部３２に出力する。
【００３０】
データ処理部３６は、データ送信先切替部３８、音声比較部４０、送信データ切替部４２を含み、呼管理部３０の指示に従って、他の基地局１２との間で送受信するデータおよび移動局１４との間で送受信するデータに係る処理を行う。以下、データ送信先切替部３８については、当該基地局１２が図１に示すハンドオーバ元の基地局１２−１であるとして説明する。一方、音声比較部４０および送信データ切替部４２については、当該基地局１２が図１に示すハンドオーバ先の基地局１２−２であるとして説明する。
【００３１】
基地局１２−１におけるデータ送信先切替部３８は、移動局１４−１のハンドオーバ開始に伴い、無線部２２から入力される移動局１４−１からの無線受信データの送信先を、基地局１２−３からハンドオーバ先の基地局１２−２に切り替える。これにより、移動局１４−１のハンドオーバが完了するまで、ハンドオーバ元の基地局１２−１から基地局１２−３に送信されるべきＲＴＰパケットは、基地局１２−１と基地局１２−２との間で確立されたＲＴＰセッションにてハンドオーバ先の基地局１２−２に送信されるようになる（図４（ａ）参照）。基地局１２−１から送信されたＲＴＰパケットを受信した基地局１２−２は、ＲＴＰセッションの切り替え（切替元セッションの解放および切替先セッションの確立）を行うまでの間（後述）、ハンドオーバ元の基地局１２−１から送信されたＲＴＰパケットをそのまま基地局１２−３に転送する（図４（ａ）参照）。
【００３２】
基地局１２−２における音声比較部４０は、移動局１４−１から送信された同一の音声データを、ハンドオーバ元の基地局１２−１との間に確立されたＲＴＰセッションおよび無線伝送路の２つの通信経路で取得する。そして、２つの通信経路それぞれで取得された音声データがハンドオーバ先の基地局１２−２において同期するタイミングを特定するために、それら２つの音声データについて音声情報の同一性を判定する。
【００３３】
すなわち、音声比較部４０は、ハンドオーバ元の基地局１２−１から受信したＲＴＰパケットに含まれる音声情報と、移動局１４−１から受信した無線信号に含まれる音声情報と、を比較することによりそれらの同一性を判定する。たとえば、ハンドオーバ元の基地局１２−１から送信されたＲＴＰパケットに含まれる音声データと、無線部２２から入力された移動局１４−１からの無線受信データに含まれる音声データと、を直接比較してもよいし、上記ＲＴＰパケットに含まれる音声データに応じた音声波形（アナログ信号）と、上記無線受信データに含まれる音声データに応じた音声波形（アナログ信号）と、の相関を求めてもよい。そして、音声比較部４０は、音声情報の同一性を確認したタイミングで、後述する送信データ切替部４２に送信データの切り替えを指示する。
【００３４】
なお、音声比較部４０は、無線部２２から入力される無線受信データを記憶部２６（バッファ）に一時的に格納し、ＲＴＰパケットに含まれるペイロードデータと同一の（または相関の高い）無線受信データがバッファに格納されているか否かを確認することにより、音声情報の同一性を判定してもよい。こうすれば、移動局１４−１から送信された同一の音声データが、異なる通信経路を介して異なるタイミングで基地局１２−２に到達しても、基地局１２−２において両音声データが同期するタイミングを正しく特定することができる。
【００３５】
基地局１２−２における送信データ切替部４２は、音声比較部４０により音声情報の同一性が確認されたタイミングで、ＲＴＰ通信制御部３４が基地局１２−３に送信するＲＴＰパケットを、ハンドオーバ元の基地局１２−１から受信するＲＴＰパケットから、無線部２２から入力される移動局１４−１からの無線受信データを含むＲＴＰパケットに切り替える。これにより、ハンドオーバ中の移動局１４−１から送信された音声データが消失することなく、ハンドオーバ先の基地局１２−２と基地局１２−３との間に新たなＲＴＰセッションが確立される（図４（ｂ）参照）。
【００３６】
特に、送信データ切替部４２は、ＲＴＰ通信制御部３４が基地局１２−３に送信するＲＴＰパケットを切り替える前と後でＲＴＰパケットの連続性が維持されるよう、ＲＴＰ通信制御部３４に指示する。すなわち、ＲＴＰ通信制御部３４が切り替え直前に送信したＲＴＰパケット（ここでは「切替前ＲＴＰパケット」という。）のヘッダ情報の一部が、切り替え直後に送信されるＲＴＰパケット（ここでは「切替後ＲＴＰパケット」という。）に引き継がれるよう、ＲＴＰ通信制御部３４に指示する。
【００３７】
具体的には、ＲＴＰ通信制御部３４は、送信データ切替部４２の指示に従って、切替後ＲＴＰパケットのシーケンス番号に、切替前ＲＴＰパケットのシーケンス番号に１を加えた値を設定する。また、切替後ＲＴＰパケットのタイムスタンプに、切替前ＲＴＰパケットのタイムスタンプに切替後ＲＴＰパケットに含まれる音声データの再生時間を加えた値を設定する。さらに、切替後ＲＴＰパケットのＳＳＲＣ識別子には、切替前ＲＴＰパケットのＳＳＲＣ識別子をそのまま設定する。
【００３８】
これにより、移動局１４−１のハンドオーバに伴ってＲＴＰセッション切り替えても、基地局１２−３から見たＲＴＰパケットの送信元はハンドオーバ元の基地局１２−１のまま変化しない上、基地局１２−３が受信するＲＴＰパケットのシーケンス番号およびタイムスタンプの連続性が維持されるようになる。このため、基地局１２−３は、移動局１４−１のハンドオーバに伴ってＲＴＰセッションの切り替え動作をする必要がなく、処理負荷が低減される。具体的には、ＲＴＰセッションの切り替えに伴って行うべき、（１）ハンドオーバ元の基地局１２−１との間に確立されたＲＴＰセッションの解放処理、（２）ハンドオーバ先の基地局１２−２とのＲＴＰセッションの確立処理、（３）ＲＴＰ再生時間の再生時刻の再計算処理、の実行を省くことができる。
【００３９】
ここで、基地局１２の動作について説明する。
【００４０】
図５は、図１に示す移動局１４−１のハンドオーバに伴いハンドオーバ先の基地局１２−２で実行されるＲＴＰセッションの切り替え処理の一例を示すフロー図である。移動局１４−１が基地局１２−１から基地局１２−２へのハンドオーバを開始すると、移動局１４−１は、基地局１２−１との無線通信に加え、新たにハンドオーバ先の基地局１２−２との無線通信を開始する。また、ハンドオーバ元の基地局１２−１は、移動局１４−１から受信した無線信号に応じたＲＴＰパケットの送信先を、基地局１２−３からハンドオーバ先の基地局１２−２に切り替える。
【００４１】
これに応じて、基地局１２−２は、移動局１４−１から送信された無線信号を受信するとともに（Ｓ１００）、受信した無線信号に応じた音声データをバッファに格納する（Ｓ１０２）。また、基地局１２−２は、ハンドオーバ元の基地局１２−１から送信されたＲＴＰパケットを受信する（Ｓ１０４）。
【００４２】
次に、基地局１２−２は、Ｓ１０４で受信したＲＴＰパケットに含まれる音声データと同一の音声データがバッファに格納されているか否かを判定する（Ｓ１０６）。バッファに同一の音声データが格納されていなければ（Ｓ１０６：Ｎ）、Ｓ１０４で受信したＲＴＰパケットをそのまま基地局１２−３に転送する（Ｓ１０８）。また、転送したＲＴＰパケットのヘッダに含まれるシーケンス番号、タイムスタンプ、ＳＳＲＣ識別子を記憶する（Ｓ１１０）。
【００４３】
一方、Ｓ１０４で受信したＲＴＰパケットに含まれる音声データと同一の音声データがバッファに格納されていれば（Ｓ１０６：Ｙ）、基地局１２−２は、Ｓ１１０で記憶したシーケンス番号、タイムスタンプ、ＳＳＲＣ識別子を引き継いで基地局１２−３との間に新たなＲＴＰセッションを確立する（Ｓ１１２）。すなわち、基地局１２−２は、基地局１２−３に送信するＲＴＰパケットを切り替える前と後でＲＴＰパケットの連続性が維持されるよう、基地局１２−３に送信するＲＴＰパケットを、ハンドオーバ元の基地局１２−１から受信するＲＴＰパケットから、移動局１４−１からの無線受信データを含むＲＴＰパケットに切り替える。
【００４４】
以上説明した移動通信システム１０によれば、ハンドオーバ元の基地局１２−１から基地局１２−３に対して送信された音声データと、ハンドオーバ先の基地局１２−１から基地局１２−３に対して送信される音声データと、が一致したタイミングで、ハンドオーバ先の基地局１２−２と基地局１２−３との間にＲＴＰセッションが確立されるため、ハンドオーバ中の移動局１４−１から送信されたデータの消失を防ぐことができる。
【００４５】
なお、本発明は、上記実施形態に限定されるものではなく、種々の変形実施が可能である。たとえば、以上の説明では、基地局間がＩＰ網で接続された移動通信システムにおける音声通信に本発明を適用したが、本発明は、基地局間がＩＰ網以外のネットワーク（無線網でもよい）で接続された移動通信システムでの通信全般に適用可能である。また、基地局間のデータ伝送には、ＲＴＰに限らず、ＵＤＰその他のプロトコルを適用してもよい。
【図面の簡単な説明】
【００４６】
【図１】本発明の実施形態に係る移動通信システムの全体構成図である。
【図２】本発明の実施形態に係る基地局の機能ブロック図である。
【図３】ＲＴＰパケットの構成を示す図である。
【図４】本発明の実施形態に係るハンドオーバ手順を説明する図である。
【図５】本発明の実施形態に係るＲＴＰセッションの切り替え処理の一例を示すフロー図である。
【図６】従来のハンドオーバ手順を説明する図である。
【符号の説明】
【００４７】
１０  移動通信システム、１２  基地局、１４  移動局、１６  ＩＰ網、２０  アンテナ、２２  無線部、２４  制御部、２６  記憶部、２８  回線インターフェース、３０  呼管理部、３２  ＵＤＰ／ＩＰ通信制御部、３４  ＲＴＰ通信制御部、３６  データ処理部、３８  データ送信先切替部、４０  音声比較部、４２  送信データ切替部。
【図１】
0004989397.tif 000002
【図２】
0004989397.tif 000003
【図３】
0004989397.tif 000004
【図４】
0004989397.tif 000005
【図５】
0004989397.tif 000006
【図６】
0004989397.tif 000007